(57)【要約】      （修正有）【課題】様々な設置場所に対応することが可能な配線用架台を提供する。【解決手段】配線用架台１０は、制御用機器を配置する配置基板１１と、貫通端子台が貫通して設けられた端子台パネル１２と、端子台パネルを配置基板に対して配設する支持部材１３とを備える。端子台パネルは、一端側及び他端側の両方において支持部材に対して回動可能とされ、一端側及び他端側のどちらか一方側において選択的に支持部材に対して回動可能に配設され、一方側を軸として他端側を回動させて開くことができる。【選択図】図４
0003223880.tif 000002
【実用新案登録請求の範囲】
【請求項１】
電気の供給を制御する制御用機器が配置される配置基板と、
この配置基板に対して、前記制御用機器を配置する空間を空けて対面可能に配設され、貫通端子台が貫通して設けられた端子台パネルと、
この端子台パネルを前記配置基板に対して配設する支持部材と、
前記貫通端子台を識別するための識別表示とを備え、
前記端子台パネルは、一端側及び他端側の両方において前記支持部材に対して回動可能に配設することが可能とされており、一端側及び他端側のどちらか一方側において選択的に前記支持部材に対して回動可能に配設され、この一方側を軸として他端側を回動させて、前記制御用機器が配置される空間を覆った状態と、前記制御用機器が配置される空間を開放した状態とで変化させることができる
ことを特徴とする配線用架台。
【請求項２】
前記端子台パネルを前記支持部材に対して回動可能に配設するための配設用ねじ、及び、前記端子台パネルを前記支持部材に対して固定するための固定用ねじを備え、
前記支持部材は、対向して配置された第１支持部材と第２支持部材とを有し、
前記端子台パネルは、前記貫通端子台が設けられた端子台部と、前記第１支持部材に対して配設するための第１取付部と、前記第２支持部材に対して配設するための第２取付部とを有し、
前記第１取付部及び前記第２取付部には、一端側及び他端側に、前記配設用ねじ又は前記固定用ねじを配設するための切欠部が設けられ、
前記切欠部は、前記第１取付部又は前記第２取付部の端部から間隔を開けて設けられた開口部と、この開口部と前記第１取付部又は前記第２取付部の端部との間を切り欠いて連通する連通部とを有し、
前記第１支持部材及び前記第２支持部材には、前記開口部に対応して、前記配設用ねじ又は前記固定用ねじを配設する配設孔が設けられ、
前記配設用ねじは首部にスペーサを有し、
前記切欠部の連通部の幅は、前記固定用ねじの軸の直径よりも大きく、前記配設用ねじのスペーサの直径よりも小さく、
前記第１取付部及び第２取付部における一端側及び他端側のどちらか一方側は、前記開口部及びこれに対応して設けられた前記配設孔に、前記配設用ねじを配設することにより、前記第１支持部材及び前記第２支持部材に対して回動可能に配設され、
前記第１取付部及び第２取付部における他方側は、前記開口部及びこれに対応して設けられた前記配設孔に、前記固定用ねじを配設することにより、前記第１支持部材及び前記第２支持部材に対して固定され、かつ、前記開口部から前記固定用ねじの軸を前記連通部を介して外すことにより、一方側を軸として回動可能とされた
ことを特徴とする請求項１記載の配線用架台。
【請求項３】
配置基板と前記第１支持部材は一体的に形成された第１部材を構成し、前記第２支持部材は第２部材を構成し、前記端子台パネルは第３部材を構成し、これら第１部材、第２部材、及び、第３部材は、組立及び分解が可能とされた
ことを特徴とする請求項２記載の配線用架台。
【考案の詳細な説明】
【技術分野】
【０００１】
本考案は、制御盤などの内部に組み込まれている制御用機器を取り換えるための配線用架台に関する。
【背景技術】
【０００２】
従来より、電気機器への電気の供給を制御するために制御盤が設置されている。この制御盤は、老朽化などの理由により、取り替えの必要が生じる。取り替えの際には、制御盤全体を新しく取り替える場合と、制御盤の内部に組み込まれている制御用機器を新しいものに取り替える場合とがある。制御盤全体を取り替える場合には、既設の制御盤の脇に新しい制御盤を設置して配線を繋ぎ替えたり、既設の制御盤を撤去して、新しい制御盤をそこに設置し、配線を繋ぎ替えることにより行われる。制御盤の内部の制御用機器を取り替える場合には、制御盤の内部から古い制御用機器を取り出し、新しい制御用機器を設置して、配線を繋ぎ替えることにより行われる。これらの取り替え作業は、配線の繋ぎかえを正確に行う必要があるので、時間がかかり面倒であった。
【０００３】
そこで、例えば、電気の供給を制御する制御用機器が配置される配置基板と、この配置基板に対して、制御用機器を配置する空間を空けて対面可能に配設され、貫通端子台が貫通して設けられた端子台パネルと、この端子台パネルを配置基板に対して配設する支持部材と、貫通端子台を識別するための識別表示とを備えた配線用架台が開発されている（例えば、特許文献１参照）。この配線用架台によれば、貫通端子台を識別するための識別表示を設けているので、識別表示に従い、決められた位置の貫通端子台に配線を接続すればよいので、作業時間を短縮することができると共に正確性を向上させることができる。
【先行技術文献】
【特許文献】
【０００４】
【特許文献１】実用新案登録第３１６３５８１号公報
【考案の概要】
【考案が解決しようとする課題】
【０００５】
しかしながら、特許文献１に記載の配線用架台は、端子台パネルの一端側を回動可能に配設し、他端側を回動させて開くようにしたので、配線用架台の設置場所によっては、近くに障害物があり、端子台パネルの他端側を開くことができない場合がある。そのため、例えば、端子台パネルの上側を回動可能に配設し、下側を上に持ち上げて開くようにしたものと、端子台パネルの下側を回動可能に配設し、上側を下に下げて開くようにしたものとを２種類を用意する必要があった。しかも、配線用架台の設置場所に行くまで現場の状況が分からないことが多く、事前にどちらかを用意することは難しい。
【０００６】
本考案は、このような問題に基づきなされたものであり、様々な設置場所に対応することが可能な配線用架台を提供することを目的とする。
【課題を解決するための手段】
【０００７】
本考案の配線用架台は、電気の供給を制御する制御用機器が配置される配置基板と、この配置基板に対して、制御用機器を配置する空間を空けて対面可能に配設され、貫通端子台が貫通して設けられた端子台パネルと、この端子台パネルを配置基板に対して配設する支持部材と、貫通端子台を識別するための識別表示とを備え、端子台パネルは、一端側及び他端側の両方において支持部材に対して回動可能に配設することが可能とされており、一端側及び他端側のどちらか一方側において選択的に支持部材に対して回動可能に配設され、この一方側を軸として他端側を回動させて、制御用機器が配置される空間を覆った状態と、制御用機器が配置される空間を開放した状態とで変化させることができるものである。
【０００８】
この配線用架台では、例えば、設置場所の状況に応じて、端子台パネルの一端側及び他端側のどちらか一方側を選択的に支持部材に対して回動可能に配設して設置し、端子台パネルの他端側を回動させて制御用機器が配置される空間を開放し、配置基板に制御用機器を配置し、制御用機器と貫通端子台の配置基板側とを識別表示に従い配線により接続したのち、端子台パネルの他端側を回動させて制御用機器を配置した空間を覆う。
【考案の効果】
【０００９】
本考案の配線用架台によれば、端子台パネルの一端側及び他端側の両方において支持部材に対して回動可能に配設することを可能としたので、設置場所の状況に応じて、端子台パネルの一端側及び他端側のどちらか一方側を選択的に支持部材に対して回動可能に配設することができ、開く側を自由に変えることができる。よって、開く側が異なる２種類の配線用架台を用意する必要がなく、保管及び搬送のスペース及び手間を削減することができる。
【図面の簡単な説明】
【００１０】
【図１】本考案の一実施の形態に係る配線用架台の構成を表す正面図である。
【図２】図１に示した配線用架台の構成を表す平面図である。
【図３】図１に示した配線用架台の構成を表す側面図である。
【図４】図４に示した配線用架台の他の状態を表す側面図である。
【図５】図１に示した配線用架台の他の構成を表す側面図である。
【図６】図１に示したＶＩ−ＶＩ線に沿った端面構成を表す拡大図である。
【図７】図１に示した配線用架台を分解した状態を表す図である。
【考案を実施するための形態】
【００１１】
以下、本考案の実施の形態について、図面を参照して詳細に説明する。
【００１２】
図１から図６は、本考案の一実施の形態に係る配線用架台１０の構成を表すものであり、図１は正面図、図２は平面図、図３〜５は側面図、図６は図１に示したＶＩ−ＶＩ線に沿った端面構成図、図７は分解図である。なお、図３〜５において、（Ａ）は図１，２に向かい右側から見た図であり、（Ｂ）は図１，２に向かい左側から見た図である。この配線用架台１０は、例えば、電気機器への電気の供給を制御するための制御用機器１１１を制御盤の内部に配設し、配線を接続するためのものである。制御用機器１１１としては、例えば、ブレーカー、汎用コントローラ、ＰＬＣ、補助リレー、ＤＣ電源装置（パワーサプライ）、操作用変圧器、または、信号変換器が挙げられる。
【００１３】
配線用架台１０は、制御用機器１１１を配置する配置基板１１と、貫通端子台１２Ａが貫通して設けられた端子台パネル１２とを備えている。なお、この配線用架台１０は、例えば、制御盤の内部などに配設する際に、制御盤の内部に既設されている取付レール１１２を利用するものであり、配置基板１１には、取付レール１１２に取り付けるための一対の配設部材１１Ａが設けられている。
【００１４】
配置基板１１には、例えば、図示しないが、制御用機器１１１を配設するための機器配設孔および配置基板１１を制御盤の内部などに配設するための基板配設孔が設けられている。配置基板１１には、また、端子台パネル１２を支持するための支持部材１３が配設されている。支持部材１３は、例えば、端子台パネル１２の一方向において対向して配置された第１支持部材１３Ａと第２支持部材１３Ｂとを有している。端子台パネル１２は、支持部材１３により、配置基板１１に対して、制御用機器１１１を配置する空間を空けて対面可能に配設されている。端子台パネル１２は、例えば、貫通端子台１２Ａが設けられた端子台部１２Ｂと、第１支持部材１３Ａに対して配設するための第１取付部１２Ｃと、第２支持部材１３Ｂに対して配設するための第２取付部１２Ｄとを有している。第１取付部１２Ｃ及び第２取付部１２Ｄは、例えば、第１支持部材１３Ａと第２支持部材１３Ｂとの対向方向において、端子台部１２Ｂの両端部を第１支持部材１３Ａ又は第２支持部材１３Ｂに沿って折り曲げることにより形成されている。
【００１５】
端子台パネル１２は、例えば、第１取付部１２Ｃ及び第２取付部１２Ｄの一端側及び他端側の両方において、支持部材１３に対して回動可能に配設することが可能とされている。一端側というのは、例えば、端子台部１２Ｂに沿って一方向に対して垂直方向における一端側であり、他端側というのは、例えば、端子台部１２Ｂに沿って一方向に対して垂直方向における他端側である。また、端子台パネル１２は、例えば、第１取付部１２Ｃ及び第２取付部１２Ｄの一端側及び他端側のどちらか一方側において、選択的に支持部材１３に対して回動可能に配設され、この一方側を軸として他端側を回動させて、制御用機器１１１が配置される空間を覆った状態と、制御用機器１１１が配置される空間を開放した状態とで変化させることができるようになっている。なお、図１〜４は、端子台パネル１２の一端側を支持部材１３に対して回動可能に配設し、他端側を開くことができるようにした場合であり、図５は、端子台パネル１２の他端側を支持部材１３に対して回動可能に配設し、一端側を開くことができるようにした場合である。
【００１６】
具体的には、例えば、配線用架台１０は、端子台パネル１２を支持部材１３に対して回動可能に配設するための配設用ねじ１４、及び、端子台パネル１２を支持部材１３に対して固定するための固定用ねじ１５を備え、第１取付部１２Ｃ及び第２取付部１２Ｄには、一端側及び他端側に、配設用ねじ１４又は固定用ねじ１５を配設するための切欠部１６がそれぞれ設けられている。各切欠部１６は、第１取付部１２Ｃ又は第２取付部１２Ｄの端部から間隔を開けて設けられた開口部１６Ａと、この開口部１６Ａと第１取付部１２Ｃ又は第２取付部１２Ｄの端部との間を切り欠いて連通する連通部１６Ｂとを有している。また、第１支持部材１３Ａ及び前記第２支持部材１３Ｂには、開口部１６Ａに対応して配設用ねじ１４及び固定用ねじ１５を配設する配設孔１３Ｃが設けられている。
【００１７】
これにより、第１取付部１２Ｃ及び第２取付部１２Ｄにおける一端側及び他端側のどちらか一方側は、開口部１６Ａ及びこれに対応して設けられた配設孔１３Ｃに、配設用ねじ１４を配設することにより、第１支持部材１３Ａ及び第２支持部材１３Ｂに対して回動可能に配設されている。また、第１取付部１２Ｃ及び第２取付部１２Ｄにおける他方側は、開口部１６Ａ及びこれに対応して設けられた配設孔１３Ｃに、固定用ねじ１５を配設することにより、第１支持部材１３Ａ及び第２支持部材１３Ｂに対して固定され、かつ、開口部１６Ａから固定用ねじ１５の軸を連通部１６Ｂを介して外すことにより、一方側を軸として回動可能とされている。
【００１８】
各切欠部１６は同一形状であることが好ましい。構成を簡単として、第１取付部１２Ｃ及び第２取付部１２Ｄの一端側及び他端側のどちらにおいても、支持部材１３に対して回動可能に配設することができるようにするためである。開口部１６Ａは、例えば、連通部１６Ｂの幅方向において、連通部１６Ｂよりも幅が広くなるように形成されていることが好ましい。回動を容易とするためである。
【００１９】
配設用ねじ１４は、例えば、首部にスペーサ１４Ａを有していることが好ましい。スペーサ１４Ａの外周の直径は、開口部１６Ａの大きさよりも小さく構成され、開口部１６Ａの中にスペーサ１４Ａが入るようにすることが好ましい。また、スペーサ１４Ａの外周の直径は、連通部１６Ｂの幅よりも大きく構成され、配設用ねじ１５が連通部１６Ｂを介して切欠部１６から外れないようにすることが好ましい。一方、連通部１６Ｂの幅は、固定用ねじ１５の軸の直径よりも大きく構成され、固定用ねじ１５が連通部１６Ｂを介して切欠部１６から外れるようにすることが好ましい。
【００２０】
第１取付部１２Ｃ及び第２取付部１２Ｄには、例えば、制御盤の内部などに配設する際に上方となる側（例えば一端側）に、第１支持部材１３Ａ及び第２支持部材１３Ｂに設けられた突起部１３Ｄに係止するための係止部１２Ｅが設けられていることが好ましい。係止部１２Ｅは、例えば、端子台パネル１２の一端側を軸として他端側を回動させて持ち上げた時に、突起部１３Ｄに引っかけて、開いた状態を保持するためのものであり、第１取付部１２Ｃ及び第２取付部１２Ｄの一部を切り欠いて形成されている。
【００２１】
端子台パネル１２の配置基板１１と反対側には、例えば、貫通端子台１２Ａを識別するための識別表示１７が貫通端子台１２Ａの近傍に設けられている。識別表示１７は、端子台パネル１２の配置基板１１の側に設けるようにしてもよい。また、端子台パネル１２には、例えば、制御用機器１１１の表示を見るための開口部を設けるようにしてもよく、開口部は閉鎖部材１２Ｆにより閉鎖可能とされていることが好ましい。更に、支持部材１３に貫通端子台１８を配設するようにしてもよい。
【００２２】
なお、配置基板１１と第１支持部材１３Ａは一体的に形成された第１部材を構成し、第２支持部材１３Ｂは第２部材を構成し、端子台パネル１２は第３部材を構成し、これら第１部材、第２部材、及び、第３部材は、組立及び分解が可能とされていることが好ましい（図７参照）。部品点数を少なくし、構成を簡素化することにより、分解及び組立を容易とし、保管時及び運搬時の省スペース化を図ることができるからである。
【００２３】
この配線用架台１０は、例えば、次のようにして用いられる。まず、配置基板１１と第１支持部材１３Ａは一体的に形成された第１部材と、第２支持部材１３Ｂの第２部材と、端子台パネル１２の第３部材とを分解した状態で設置場所まで運び、設置場所において組み立てる。その際、設置場所の状況に応じて、端子台パネル１２の一端側及び他端側のどちらか一方側を選択的に支持部材１３に対して回動可能に配設する。例えば、端子台パネル１２の他端側にスペースがある場合には、端子台パネル１２の他端側を配設用ねじ１４により支持部材１３に回動可能に配設して、一端側が他端側に向かって開くようにする。また、端子台パネル１２の一端側にスペースがある場合には、端子台パネル１２の一端側を配設用ねじ１４により支持部材１３に回動可能に配設して、他端側が一端側に向かって開くようにする。
【００２４】
次いで、配線用架台１０を設置し、端子台パネル１２を回動させて制御用機器１１１を配置する空間を開放した状態とする。続いて、配置基板１１に制御用機器１１１を配置し、識別表示１７に従い、貫通端子台１２Ａの配置基板１１の側に制御用機器１１１の配線を接続する。また、必要に応じて、貫通端子台１８の配線基板１１の側にも、配線を接続する。次に、例えば、端子台パネル１２を回動させて制御用機器１１１の少なくとも一部を覆った状態とし、切欠部１６に連通部１６Ｂを介して固定用ねじ１５を挿入し、固定する。そののち、例えば、貫通端子台１２Ａ，１５の配置基板１１と反対側に、識別表示１７に従い、外部の電気機器または電源などを配線により接続する。
【００２５】
このように本実施の形態によれば、端子台パネル１２の一端側及び他端側の両方において支持部材１３に対して回動可能に配設することを可能としたので、設置場所の状況に応じて、端子台パネル１２の一端側及び他端側のどちらか一方側を選択的に支持部材１３に対して回動可能に配設することができ、開く側を自由に変えることができる。よって、開く側が異なる２種類の配線用架台１０を用意する必要がなく、保管及び搬送のスペース及び手間を削減することができる。
【００２６】
以上、実施の形態を挙げて本考案を説明したが、本考案は上記実施の形態に限定されるものではなく、種々変形可能である。
【産業上の利用可能性】
【００２７】
制御用機器を配設する際に用いることができる。
【符号の説明】
【００２８】
１０…配線用架台、１１…配置基板、１１Ａ…配設部材、１２…端子台パネル、１２Ａ…貫通端子台、１２Ｂ…端子台部、１２Ｃ…第１取付部、１２Ｄ…第２取付部、１２Ｅ…係止部、１２Ｆ…閉鎖部材、１３…支持部材、１３Ａ…第１支持部材、１３Ｂ…第２支持部材、１３Ｃ…配設孔、１３Ｄ…突起部、１４…配設用ねじ、１４Ａ…スペーサ、１５…固定用ねじ、１６…切欠部、１６Ａ…開口部、１６Ｂ…連通部、１７…識別表示、１８…貫通端子台、１１１…制御用機器、１１２…取付レール
【図１】
0003223880.tif 000003
【図２】
0003223880.tif 000004
【図３】
0003223880.tif 000005
【図４】
0003223880.tif 000006
【図５】
0003223880.tif 000007
【図６】
0003223880.tif 000008
【図７】
0003223880.tif 000009